(57)【要約】  本願は、信号伝送方法、基地局及びネットワークノードを開示し、該方法は、基地局が端末デバイスのウェイクアップ能力を取得することと、前記基地局が前記ウェイクアップ能力に基づいて、省電力信号を送信するための第１の時間位置を決定することと、前記基地局が前記第１の時間位置で前記端末デバイスに前記省電力信号を送信することと、を含み、前記省電力信号は、前記端末デバイスが第２の時間位置でウェイクアップ又はスリープするように指示し、ここで、前記ウェイクアップ能力が第１のウェイクアップ能力又は第２のウェイクアップ能力を含み、第１のウェイクアップ能力を備える端末デバイスのウェイクアップ時間が第２のウェイクアップ能力を備える端末デバイスのウェイクアップ時間よりも大きい。したがって、基地局は、端末デバイスのウェイクアップ能力を取得し、そのウェイクアップ能力に応じて省電力信号を送信する時間位置を決定することで、省電力信号の指示に応じて端末デバイスが有効にウェイクアップ又はスリープすることを保証することができる。
2021528889.tif 000002
【特許請求の範囲】
【請求項１】
基地局が端末デバイスのウェイクアップ能力を取得することと、
前記基地局が前記ウェイクアップ能力に基づいて、省電力信号を送信するための第１の時間位置を決定することと、
前記基地局が前記第１の時間位置で前記端末デバイスに前記省電力信号を送信することと、を含み、
前記省電力信号は、前記端末デバイスが第２の時間位置でウェイクアップ又はスリープするように指示し、前記ウェイクアップ能力が第１のウェイクアップ能力又は第２のウェイクアップ能力を含み、第１のウェイクアップ能力を備える端末デバイスのウェイクアップ時間が第２のウェイクアップ能力を備える端末デバイスのウェイクアップ時間よりも大きい
ことを特徴とする信号伝送方法。
【請求項２】
前記基地局が前記ウェイクアップ能力に基づいて、省電力信号を送信するための第１の時間位置を決定することは、
前記基地局が前記ウェイクアップ能力に基づいて、前記第１の時間位置と前記第２の時間位置との間のタイミング期間を決定することと、
前記基地局が前記タイミング期間及び前記第２の時間位置に基づいて、前記第１の時間位置を決定することとを含む
ことを特徴とする請求項１に記載の信号伝送方法。
【請求項３】
前記第１のウェイクアップ能力を備える前記端末デバイスの前記タイミング期間が前記第２のウェイクアップ能力を備える前記端末デバイスの前記タイミング期間よりも大きい
ことを特徴とする請求項２に記載の信号伝送方法。
【請求項４】
前記タイミング期間は、前記第１の時間位置の開始時刻又は終了時刻と前記第２の時間位置との間のタイミング期間である
ことを特徴とする請求項２又は３に記載の信号伝送方法。
【請求項５】
前記第２の時間位置は、非連続受信ＤＲＸ周期において前記端末デバイスが下り制御チャネル検出を行うための１番目のサブフレーム又はスロットである
ことを特徴とする請求項１〜４のいずれか１項に記載の信号伝送方法。
【請求項６】
前記第２の時間位置は、ページングメッセージを伝送するためのページング時刻ＰＯである
ことを特徴とする請求項１〜５のいずれか１項に記載の信号伝送方法。
【請求項７】
前記省電力信号が端末デバイスが前記第２の時間位置でウェイクアップするように指示する場合、前記方法は、さらに、
前記基地局が前記ＰＯにおいて、前記端末デバイスに前記ページングメッセージを送信することを含む
ことを特徴とする請求項６に記載の信号伝送方法。
【請求項８】
前記基地局が端末デバイスのウェイクアップ能力を取得することは、
前記基地局が第１のネットワークノードにより送信された指示情報を受信することを含み、前記指示情報が前記端末デバイスの前記ウェイクアップ能力を示す
ことを特徴とする請求項１〜７のいずれか１項に記載の信号伝送方法。
【請求項９】
前記基地局が端末デバイスのウェイクアップ能力を取得することは、
前記基地局が第１のネットワークノードにより送信された透明なコンテナを受信することと、
前記基地局が前記透明なコンテナから前記ウェイクアップ能力を取得することとを含み、
前記透明なコンテナに前記端末デバイスの前記ウェイクアップ能力が含まれる
ことを特徴とする請求項１〜７のいずれか１項に記載の信号伝送方法。
【請求項１０】
前記第１のネットワークノードは、コアネットワークノード又はアクセスネットワークノードを含む
ことを特徴とする請求項８又は９に記載の信号伝送方法。
【請求項１１】
前記コアネットワークノードは、モビリティ管理エンティティＭＭＥを含む
ことを特徴とする請求項１０に記載の信号伝送方法。
【請求項１２】
前記アクセスネットワークノードは、アクセスネットワークマスタノードを含む
ことを特徴とする請求項１０又は１１に記載の信号伝送方法。
【請求項１３】
第１のネットワークノードが端末デバイスのウェイクアップ能力を決定することと、
前記第１のネットワークノードが前記基地局に前記ウェイクアップ能力を指示することとを含み、
前記ウェイクアップ能力は、基地局が省電力信号を送信するための第１の時間位置を決定するために用いられ、前記省電力信号は、前記端末デバイスが第２の時間位置でウェイクアップ又はスリープするように指示し、前記ウェイクアップ能力が第１のウェイクアップ能力又は第２のウェイクアップ能力を含み、第１のウェイクアップ能力を備える端末デバイスのウェイクアップ時間が第２のウェイクアップ能力を備える端末デバイスのウェイクアップ時間よりも大きい
ことを特徴とする信号伝送方法。
【請求項１４】
前記第１のネットワークノードが端末デバイスのウェイクアップ能力を決定することは、
前記第１のネットワークノードが前記端末デバイスのデバイス識別子及びデバイス識別子とウェイクアップ能力とのマッピング関係に基づいて、前記端末デバイスの前記ウェイクアップ能力を決定することを含む
ことを特徴とする請求項１３に記載の信号伝送方法。
【請求項１５】
前記方法は、さらに、
前記第１のネットワークノードが前記端末デバイスの前記ウェイクアップ能力を取得することと、
前記第１のネットワークノードが前記ウェイクアップ能力に基づいて、前記マッピング関係を生成することとを含む
ことを特徴とする請求項１４に記載の信号伝送方法。
【請求項１６】
前記第１のネットワークノードが前記基地局に前記ウェイクアップ能力を指示することは、
前記第１のネットワークノードが前記基地局に指示情報を送信することを含み、前記指示情報が前記端末デバイスの前記ウェイクアップ能力を示す
ことを特徴とする請求項１３〜１５のいずれか１項に記載の信号伝送方法。
【請求項１７】
前記第１のネットワークノードが基地局に前記ウェイクアップ能力を指示することは、
前記第１のネットワークノードが前記基地局に透明なコンテナを送信することを含み、前記透明なコンテナに前記端末デバイスの前記ウェイクアップ能力が含まれる
ことを特徴とする請求項１３〜１５のいずれか１項に記載の信号伝送方法。
【請求項１８】
前記第２の時間位置は、非連続受信ＤＲＸ周期において前記端末デバイスが下り制御チャネル検出を行うための１番目のサブフレーム又はスロットである
ことを特徴とする請求項１３〜１７のいずれか１項に記載の信号伝送方法。
【請求項１９】
前記第２の時間位置は、ページングメッセージを伝送するためのページング時刻ＰＯである
ことを特徴とする請求項１３〜１７のいずれか１項に記載の信号伝送方法。
【請求項２０】
前記第１のネットワークノードは、コアネットワークノード又はアクセスネットワークノードを含む
ことを特徴とする請求項１４〜１９のいずれか１項に記載の信号伝送方法。
【請求項２１】
前記コアネットワークノードは、モビリティ管理エンティティＭＭＥを含む
ことを特徴とする請求項２０に記載の信号伝送方法。
【請求項２２】
前記アクセスネットワークノードは、アクセスネットワークマスタノードを含む
ことを特徴とする請求項２０又は２１に記載の信号伝送方法。
【請求項２３】
取得ユニットと、決定ユニットと、送受信ユニットと、を備える基地局であって、
前記取得ユニットは、端末デバイスのウェイクアップ能力を取得するように構成され、
前記決定ユニットは、前記取得ユニットにより取得された前記ウェイクアップ能力に基づいて、省電力信号を送信するための第１の時間位置を決定するように構成され、
前記送受信ユニットは、前記決定ユニットにより決定された前記第１の時間位置において、前記端末デバイスに前記省電力信号を送信するように構成され、
前記省電力信号は、前記端末デバイスが第２の時間位置でウェイクアップ又はスリープするように指示し、
前記ウェイクアップ能力が第１のウェイクアップ能力又は第２のウェイクアップ能力を含み、第１のウェイクアップ能力を備える端末デバイスのウェイクアップ時間が第２のウェイクアップ能力を備える端末デバイスのウェイクアップ時間よりも大きい
ことを特徴とする基地局。
【請求項２４】
前記決定ユニットは、
前記ウェイクアップ能力に基づいて、前記第１の時間位置と前記第２の時間位置との間のタイミング期間を決定し、
前記タイミング期間及び前記第２の時間位置に基づいて、前記第１の時間位置を決定するように構成される
ことを特徴とする請求項２３に記載の基地局。
【請求項２５】
前記第１のウェイクアップ能力を備える前記端末デバイスの前記タイミング期間が前記第２のウェイクアップ能力を備える前記端末デバイスの前記タイミング期間よりも大きい
ことを特徴とする請求項２４に記載の基地局。
【請求項２６】
前記タイミング期間は、前記第１の時間位置の開始時刻又は終了時刻と前記第２の時間位置との間のタイミング期間である
ことを特徴とする請求項２４又は２５に記載の基地局。
【請求項２７】
前記第２の時間位置は、非連続受信ＤＲＸ周期において前記端末デバイスが下り制御チャネル検出を行うための１番目のサブフレーム又はスロットである
ことを特徴とする請求項２３〜２６のいずれか１項に記載の基地局。
【請求項２８】
前記第２の時間位置は、ページングメッセージを伝送するためのページング時刻ＰＯである
ことを特徴とする請求項２３〜２６のいずれか１項に記載の基地局。
【請求項２９】
前記省電力信号が端末デバイスが前記第２の時間位置でウェイクアップするように指示する場合、前記送受信ユニットは、さらに、
前記基地局が前記ＰＯにおいて、前記端末デバイスに前記ページングメッセージを送信するように構成される
ことを特徴とする請求項２８に記載の基地局。
【請求項３０】
前記取得ユニットは、
前記送受信ユニットを介して第１のネットワークノードにより送信された指示情報を受信するように構成され、前記指示情報が前記端末デバイスの前記ウェイクアップ能力を示す
ことを特徴とする請求項２３〜２９のいずれか１項に記載の基地局。
【請求項３１】
前記取得ユニットは、
前記送受信ユニットを介して第１のネットワークノードにより送信された透明なコンテナを受信し、前記透明なコンテナに前記端末デバイスの前記ウェイクアップ能力が含まれ、
前記透明なコンテナから前記ウェイクアップ能力を取得するように構成される
ことを特徴とする請求項２３〜２９のいずれか１項に記載の基地局。
【請求項３２】
前記第１のネットワークノードは、コアネットワークノード又はアクセスネットワークノードを含む
ことを特徴とする請求項３０又は３１に記載の基地局。
【請求項３３】
前記コアネットワークノードは、モビリティ管理エンティティＭＭＥを含む
ことを特徴とする請求項３２に記載の基地局。
【請求項３４】
前記アクセスネットワークノードは、アクセスネットワークマスタノードを含む
ことを特徴とする請求項３２又は３３に記載の基地局。
【請求項３５】
決定ユニットと、送受信ユニットとを備え、第１のネットワークノードとするネットワークノードであって、
前記決定ユニットは、端末デバイスのウェイクアップ能力を決定するように構成され、前記ウェイクアップ能力は、基地局が省電力信号を送信するための第１の時間位置を決定するために用いられ、前記省電力信号は、前記端末デバイスが第２の時間位置でウェイクアップ又はスリープするように指示し、
前記送受信ユニットは、前記決定ユニットにより決定された前記ウェイクアップ能力を前記基地局に指示するように構成され、
前記ウェイクアップ能力が第１のウェイクアップ能力又は第２のウェイクアップ能力を含み、第１のウェイクアップ能力を備える端末デバイスのウェイクアップ時間が第２のウェイクアップ能力を備える端末デバイスのウェイクアップ時間よりも大きい
ことを特徴とするネットワークノード。
【請求項３６】
前記決定ユニットは、
前記端末デバイスのデバイス識別子及びデバイス識別子とウェイクアップ能力とのマッピング関係に基づいて、前記端末デバイスの前記ウェイクアップ能力を決定するように構成される
ことを特徴とする請求項３５に記載のネットワークノード。
【請求項３７】
前記第１のネットワークノードは、さらに、取得ユニット及び処理ユニットを含み、
前記取得ユニットは、前記端末デバイスの前記ウェイクアップ能力を取得するように構成され、
前記処理ユニットは、前記ウェイクアップ能力に基づいて、前記マッピング関係を生成するように構成される
ことを特徴とする請求項３６に記載のネットワークノード。
【請求項３８】
前記送受信ユニットは、
前記基地局に指示情報を送信するように構成され、前記指示情報が前記端末デバイスの前記ウェイクアップ能力を示す
ことを特徴とする請求項３５〜３７のいずれか１項に記載のネットワークノード。
【請求項３９】
前記送受信ユニットは、
前記基地局に透明なコンテナを送信するように構成され、前記透明なコンテナに前記端末デバイスの前記ウェイクアップ能力が含まれる
ことを特徴とする請求項３５〜３７のいずれか１項に記載のネットワークノード。
【請求項４０】
前記第２の時間位置は、非連続受信ＤＲＸ周期において前記端末デバイスが下り制御チャネル検出を行うための１番目のサブフレーム又はスロットである
ことを特徴とする請求項３５〜３９のいずれか１項に記載のネットワークノード。
【請求項４１】
前記第２の時間位置は、ページングメッセージを伝送するためのページング時刻ＰＯである
ことを特徴とする請求項３５〜３９のいずれか１項に記載のネットワークノード。
【請求項４２】
前記第１のネットワークノードは、コアネットワークノード又はアクセスネットワークノードを含む
ことを特徴とする請求項３５〜４１のいずれか１項に記載のネットワークノード。
【請求項４３】
前記コアネットワークノードは、モビリティ管理エンティティＭＭＥを含む
ことを特徴とする請求項４２に記載のネットワークノード。
【請求項４４】
前記アクセスネットワークノードは、アクセスネットワークマスタノードを含む
ことを特徴とする請求項４２又は４３に記載のネットワークノード。
【請求項４５】
メモリに記憶された命令を呼び出して請求項１〜１２のいずれか１項に記載の方法を実行するプロセッサを含む
ことを特徴とする基地局。
【請求項４６】
第１のネットワークノードとする第１のネットワークノードであって、メモリに記憶された命令を呼び出して、請求項１３〜２２のいずれか１項に記載の方法を実行するプロセッサを含む
ことを特徴とするネットワークノード。
【請求項４７】
コンピュータ装置によって実行されると、請求項１〜１２のいずれか１項に記載の方法を前記コンピュータ装置に実現させるコンピュータプログラムを記憶した
ことを特徴とする記憶媒体。
【請求項４８】
コンピュータ装置によって実行されると、請求項１３〜２２のいずれか１項に記載の方法を前記コンピュータ装置に実現させるコンピュータプログラムを記憶した
ことを特徴とする記憶媒体。
【請求項４９】
コンピュータプログラムをメモリから呼び出して実行して、請求項１〜１２のいずれか１項に記載の信号伝送方法を前記チップが搭載されるデバイスに実行させるプロセッサを有する
ことを特徴とするチップ。
【請求項５０】
コンピュータプログラムをメモリから呼び出して実行して、請求項１３〜２２のいずれか１項に記載の信号伝送方法を前記チップが搭載されるデバイスに実行させるプロセッサを有する
ことを特徴とするチップ。
【発明の詳細な説明】
【技術分野】
【０００１】
本願の実施例は、通信分野に関し、具体的に、信号伝送方法、基地局及びネットワークノードに関する。
【背景技術】
【０００２】
端末デバイスの省電力化を考慮して、非連続伝送( Ｄｉｓｃｏｎｔｉｎｕｏｕｓ Ｒｅｃｅｐｔｉｏｎ、ＤＲＸ )の仕組みが導入されている。各ＤＲＸ周期( ＤＲＸ Ｃｙｃｌｅ )には、活性化期間( ｏｎ ｄｕｒａｔｉｏｎ )及びスリープ期間( Ｏｐｐｏｒｔｕｎｉｔｙ ｆｏｒ ＤＲＸ )が含まれ、活性化期間(ウェイクアップとも呼ぶ)の間に端末デバイスは制御チャネルを検出し、スリープ期間(休止期間とも呼ぶ)の間に端末デバイスは制御チャネルの受信を停止することによって(このとき、端末デバイスは制御チャネルのブラインド検出を停止する)、電力消費を低減し、バッテリ使用時間を向上させる。
【０００３】
５Ｇシステムでは、省電力化の目的のために端末デバイスの状態を制御する省電力信号が導入され、例えば、この省電力信号がウェイクアップ信号であり、このウェイクアップ信号がＤＲＸ周期内の「活性化期間」内に端末デバイスがウェイクアップするように指示し、端末デバイスは、このウェイクアップ信号を検出した場合にのみ、「活性化期間」内にウェイクアップしてＰＤＣＣＨを検出し、端末デバイスは、このウェイクアップ信号を検出しなかった場合には、ＰＤＣＣＨ検出を行わない。
【０００４】
ウェイクアップ能力( ｗａｋｅ−ｕｐ ｃａｐａｂｉｌｉｔｙ )の異なる端末デバイスは、ウェイクアップに要するウェイクアップ時間が異なるため、ウェイクアップ性能の異なる端末デバイスが存在する場合、省電力信号の伝送性能をどのように向上させて、各端末デバイスが、この省電力信号の指示に従って効果的にウェイクアップ又はスリープできるかを保証するかが、解決すべきの課題となっている。
【発明の概要】
【０００５】
本願の実施例は、ウェイクアップ能力の異なる端末デバイスが存在する場合に、省電力信号の伝送性能を向上させて、端末デバイスが省電力信号の指示に応じて効率的にウェイクアップ又はスリープすることできる信号伝送方法、基地局及びネットワークノードを提供する。
【０００６】
第１の態様は、信号伝送方法を提供し、基地局が端末デバイスのウェイクアップ能力を取得することと、前記基地局が前記ウェイクアップ能力に基づいて、省電力信号を送信するための第１の時間位置を決定することと、前記基地局が前記第１の時間位置で前記端末デバイスに前記省電力信号を送信することとを含み、前記省電力信号は、前記端末デバイスが第２の時間位置でウェイクアップ又はスリープするように指示し、ここで、前記ウェイクアップ能力が第１のウェイクアップ能力又は第２のウェイクアップ能力を含み、第１のウェイクアップ能力を備える端末デバイスのウェイクアップ時間が第２のウェイクアップ能力を備える端末デバイスのウェイクアップ時間よりも大きい。
【０００７】
このウェイクアップ時間は、例えば、端末デバイスが省電力信号を受信してから、信号検出又はチャネル検出を行うことができるように端末デバイスが完全にウェイクアップするまでの時間とすることができる。
【０００８】
したがって、基地局は、端末デバイスのウェイクアップ能力を取得し、このウェイクアップ能力に応じて省電力信号を送信する時間位置を決定することで、省電力信号の指示に応じて端末デバイスが有効にウェイクアップ又はスリープすることを保証することができる。
【０００９】
第１の態様と結合し、第１の態様の実現可能な方式において、前記基地局が前記ウェイクアップ能力に基づいて、省電力信号を送信するための第１の時間位置を決定することは、前記基地局が前記ウェイクアップ能力に基づいて、前記第１の時間位置と前記第２の時間位置との間のタイミング期間を決定することと、前記基地局が前記タイミング期間及び前記第２の時間位置に基づいて、前記第１の時間位置を決定することとを含む。
【００１０】
第１の態様又は上記の実現可能な方式と結合し、第１の態様の他の実現可能な方式において、前記第１のウェイクアップ能力を備える前記端末デバイスの前記タイミング期間が前記第２のウェイクアップ能力を備える前記端末デバイスの前記タイミング期間よりも大きい。
【００１１】
第１の態様又は上記の実現可能な方式と結合し、第１の態様の他の実現可能な方式において、前記タイミング期間は、前記第１の時間位置の開始時刻又は終了時刻と前記第２の時間位置とのタイミング期間である。
【００１２】
第１の態様又は上記の実現可能な方式と結合し、第１の態様の他の実現可能な方式において、前記第２の時間位置は、非連続受信ＤＲＸ周期において前記端末デバイスが下り制御チャネル検出を行うための１番目のサブフレーム又はスロットである。
【００１３】
第１の態様又は上記の実現可能な方式と結合し、第１の態様の他の実現可能な方式において、前記第２の時間位置は、ページングメッセージを伝送するためのページング時刻ＰＯである。
【００１４】
第１の態様又は上記の実現可能な方式と結合し、第１の態様の他の実現可能な方式において、前記省電力信号が端末デバイスが前記第２の時間位置でウェイクアップするように指示する場合、前記方法は、さらに、前記基地局が前記ＰＯにおいて、前記端末デバイスに前記ページングメッセージを送信することを含む。
【００１５】
第１の態様又は上記の実現可能な方式と結合し、第１の態様の他の実現可能な方式において、前記基地局が端末デバイスのウェイクアップ能力を取得することは、前記基地局が第１のネットワークノードにより送信された指示情報を受信することを含み、前記指示情報が前記端末デバイスの前記ウェイクアップ能力を示す。
【００１６】
第１の態様又は上記の実現可能な方式と結合し、第１の態様の他の実現可能な方式において、前記基地局が端末デバイスのウェイクアップ能力を取得することは、前記基地局が第１のネットワークノードにより送信された透明なコンテナを受信することと、前記基地局が前記透明なコンテナから前記ウェイクアップ能力を取得することとを含み、前記透明なコンテナに前記端末デバイスの前記ウェイクアップ能力が含まれる。
【００１７】
第１の態様又は上記の実現可能な方式と結合し、第１の態様の他の実現可能な方式において、前記第１のネットワークノードは、コアネットワークノード又はアクセスネットワークノードを含む。
【００１８】
第１の態様又は上記の実現可能な方式と結合し、第１の態様の他の実現可能な方式において、前記コアネットワークノードは、モビリティ管理エンティティＭＭＥを含む。
【００１９】
第１の態様又は上記の実現可能な方式と結合し、第１の態様の他の実現可能な方式において、前記アクセスネットワークノードは、アクセスネットワークマスタノードを含む。
【００２０】
第２の態様は、信号伝送方法を提供し、第１のネットワークノードが端末デバイスのウェイクアップ能力を決定することと、前記第１のネットワークノードが前記基地局に前記ウェイクアップ能力を指示することとを含み、ここで、前記ウェイクアップ能力は、基地局が省電力信号を送信するための第１の時間位置を決定するために用いられ、前記省電力信号は、前記端末デバイスが第２の時間位置でウェイクアップ又はスリープするように指示し、前記ウェイクアップ能力が第１のウェイクアップ能力又は第２のウェイクアップ能力を含み、第１のウェイクアップ能力を備える端末デバイスのウェイクアップ時間が第２のウェイクアップ能力を備える端末デバイスのウェイクアップ時間よりも大きい。
【００２１】
このウェイクアップ時間は、例えば、端末デバイスが省電力信号を受信してから、信号検出又はチャネル検出を行うことができるように端末デバイスが完全にウェイクアップするまでの時間とすることができる。
【００２２】
したがって、ネットワークノードは、端末デバイスのウェイクアップ能力を決定し、基地局にウェイクアップ能力を指示して、基地局は、このウェイクアップ能力に基づいて、端末デバイスに省電力信号を送信する時間位置を決定することができ、それによって、端末デバイスが、省電力信号の指示に従って、効果的にウェイクアップ又はスリープできることを保証する。
【００２３】
第２の態様と結合し、第２の態様の実現可能な方式において、前記第１のネットワークノードが端末デバイスのウェイクアップ能力を決定することは、前記第１のネットワークノードが前記端末デバイスのデバイス識別子及びデバイス識別子とウェイクアップ能力とのマッピング関係に基づいて、前記端末デバイスの前記ウェイクアップ能力を決定することを含む。
【００２４】
第２の態様又は上記の実現可能な方式と結合し、第２の態様の他の実現可能な方式において、前記方法は、さらに、前記第１のネットワークノードが前記端末デバイスの前記ウェイクアップ能力を取得することと、前記第１のネットワークノードが前記ウェイクアップ能力に基づいて、前記マッピング関係を生成することとを含む。
【００２５】
第２の態様又は上記の実現可能な方式と結合し、第２の態様の他の実現可能な方式において、前記第１のネットワークノードが前記基地局に前記ウェイクアップ能力を指示することは、前記第１のネットワークノードが前記基地局に指示情報を送信することを含み、前記指示情報が前記端末デバイスの前記ウェイクアップ能力を示す。
【００２６】
第２の態様又は上記の実現可能な方式と結合し、第２の態様の他の実現可能な方式において、前記第１のネットワークノードが基地局に前記ウェイクアップ能力を指示することは、前記第１のネットワークノードが前記基地局に透明なコンテナを送信することを含み、前記透明なコンテナに前記端末デバイスの前記ウェイクアップ能力が含まれる。
【００２７】
第２の態様又は上記の実現可能な方式と結合し、第２の態様の他の実現可能な方式において、前記第２の時間位置は、非連続受信ＤＲＸ周期において前記端末デバイスが下り制御チャネル検出を行うための１番目のサブフレーム又はスロットである。
【００２８】
第２の態様又は上記の実現可能な方式と結合し、第２の態様の他の実現可能な方式において、前記第２の時間位置は、ページングメッセージを伝送するためのページング時刻ＰＯである。
【００２９】
第２の態様又は上記の実現可能な方式と結合し、第２の態様の他の実現可能な方式において、前記第１のネットワークノードは、コアネットワークノード又はアクセスネットワークノードを含む。
【００３０】
第２の態様又は上記の実現可能な方式と結合し、第２の態様の他の実現可能な方式において、前記コアネットワークノードは、モビリティ管理エンティティＭＭＥを含む。
【００３１】
第２の態様又は上記の実現可能な方式と結合し、第２の態様の他の実現可能な方式において、前記アクセスネットワークノードは、アクセスネットワークマスタノードを含む。
【００３２】
第３の態様は、信号伝送方法を提供し、端末デバイスが前記端末デバイスのウェイクアップ能力に基づいて、省電力信号を受信するための第１の時間位置を決定することと、前記端末デバイスが前記第１の時間位置で基地局により送信された前記省電力信号を受信することとを含み、前記省電力信号は、前記端末デバイスが第２の時間位置でウェイクアップ又はスリープするように指示する。
【００３３】
第３の態様と結合し、第３の態様の実現可能な方式において、前記端末デバイスが前記ウェイクアップ能力に基づいて、省電力信号を送信するための第１の時間位置を決定することは、前記端末デバイスが前記ウェイクアップ能力に基づいて、前記第１の時間位置と前記第２の時間位置との間のタイミング期間を決定し、前記端末デバイスが前記タイミング期間及び前記第２の時間位置に基づいて、前記第１の時間位置を決定することを含む。
【００３４】
第３の態様又は上記の実現可能な方式と結合し、第３の態様の他の実現可能な方式において、前記第１のウェイクアップ能力を備える前記端末デバイスの前記タイミング期間が前記第２のウェイクアップ能力を備える前記端末デバイスの前記タイミング期間よりも大きい。
【００３５】
第３の態様又は上記の実現可能な方式と結合し、第３の態様の他の実現可能な方式において、前記タイミング期間は、前記第１の時間位置の開始時刻又は終了時刻と前記第２の時間位置とのタイミング期間である。
【００３６】
第３の態様又は上記の実現可能な方式と結合し、第３の態様の他の実現可能な方式において、前記第２の時間位置は、非連続受信ＤＲＸ周期において前記端末デバイスが下り制御チャネル検出を行うための１番目のサブフレーム又はスロットである。
【００３７】
第３の態様又は上記の実現可能な方式と結合し、第３の態様の他の実現可能な方式において、前記省電力信号が前記端末デバイスが前記第２の時間位置でウェイクアップするように指示する場合、前記方法は、さらに、前記端末デバイスが前記１番目のサブフレーム又はスロットから下り制御チャネル検出を行うことを含む。
【００３８】
第３の態様又は上記の実現可能な方式と結合し、第３の態様の他の実現可能な方式において、前記第２の時間位置は、ページングメッセージを伝送するためのページング時刻ＰＯである。
【００３９】
第３の態様又は上記の実現可能な方式と結合し、第３の態様の他の実現可能な方式において、前記省電力信号が前記端末デバイスが前記第２の時間位置でウェイクアップするように指示する場合、前記方法は、さらに、前記端末デバイスが前記ＰＯにおいて前記基地局により送信された前記ページングメッセージを受信することを含む。
【００４０】
第４の態様は、上記第１の態様または第１の態様の任意の選択的な実装における方法を実行することができる基地局を提供する。具体的に、この基地局は、上記の第１の態様または第１の態様の任意の可能な実施例における方法を実行するための機能モジュールを含み得る。
【００４１】
第５の態様は、第１のネットワークノードであるネットワークノードを提供し、このネットワークノードは、上述の第２の態様または第２の態様の任意の代替的な実装における方法を実行することができる。具体的には、第１のネットワークノードは、上述の第２の態様または第２の態様の任意の可能な実施例における方法を実行するための機能モジュールを含み得る。
【００４２】
第６の態様は、上記第３の態様又は第３の態様の任意の選択的な実装態様における方法を実行することができる端末デバイスが提供される。具体的には、そのような端末デバイスは、上記の第３の態様または第３の態様の任意の可能な実施例における方法を実行するための機能モジュールを含み得る。
【００４３】
第７の態様は、プロセッサとメモリとを含む基地局を提供する。メモリは、コンピュータプログラムを記憶するためのものであり、プロセッサは、メモリに記憶されたコンピュータプログラムを呼び出して実行し、上述の第１の態様または第１の態様の可能な実施態様のいずれかにおける方法を実行するためのものである。
【００４４】
第８の態様は、プロセッサとメモリとを含む第１のネットワークノードであるネットワークノードを提供する。メモリは、コンピュータプログラムを記憶するためのものであり、プロセッサは、メモリに記憶されたコンピュータプログラムを呼び出して実行し、上述の第２の態様または第２の態様の可能な実施態様のいずれかにおける方法を実行するためのものである。
【００４５】
第９の態様は、プロセッサとメモリとを備える端末デバイスが提供される。メモリは、コンピュータプログラムを記憶するためのものであり、プロセッサは、メモリに記憶されたコンピュータプログラムを呼び出して実行し、上記の第３の態様または第３の態様の任意の可能な実施例における方法を実行するためのものである。
【００４６】
第１０の態様は、上記の第１の態様または第１の態様の任意の可能な実装における方法を実装するためのチップを提供する。
【００４７】
具体的に、このチップは、メモリからコンピュータプログラムを呼び出して実行するプロセッサを含み、このプロセッサは、チップが搭載されたデバイスに、上記の第１の態様または第１の態様の任意の可能な実装態様における方法を実行させる。
【００４８】
第１１の態様は、上記の第２の態様または第２の態様の任意の可能な実装における方法を実装するためのチップを提供する。
【００４９】
具体的に、このチップは、メモリからコンピュータプログラムを呼び出して実行するプロセッサを含み、このプロセッサは、チップが搭載されたデバイスに、上記の第２の態様または第２の態様の任意の可能な実装態様における方法を実行させる。
【００５０】
第１２の態様は、上記の第３の態様または第３の態様の任意の可能な実装における方法を実装するためのチップを提供する。
【００５１】
具体的に、このチップは、メモリからコンピュータプログラムを呼び出して実行するプロセッサを含み、このプロセッサは、チップが搭載されたデバイスに、上記の第３の態様または第３の態様の任意の可能な実装態様における方法を実行させる。
【００５２】
第１３の態様は、コンピュータに、上述の第１の態様または第１の態様の任意の可能な実施例における方法を実行させるコンピュータプログラムを記憶するためのコンピュータ可読記憶媒体を提供する。
【００５３】
第１４の態様は、コンピュータに、上述の第２の態様または第２の態様の任意の可能な実施例における方法を実行させるコンピュータプログラムを記憶するためのコンピュータ可読記憶媒体を提供する。
【００５４】
第１５の態様は、コンピュータに、上述の第３の態様または第３の態様の任意の可能な実施例における方法を実行させるコンピュータプログラムを記憶するためのコンピュータ可読記憶媒体を提供する。
【００５５】
第１６の態様は、コンピュータに、上述の第１の態様または第１の態様の任意の可能な実施例における方法を実行させるコンピュータプログラム命令を含むコンピュータプログラム製品を提供する。
【００５６】
第１７の態様は、コンピュータに、上述の第２の態様または第２の態様の任意の可能な実施例における方法を実行させるコンピュータプログラム命令を含むコンピュータプログラム製品を提供する。
【００５７】
第１８の態様は、コンピュータに、上述の第３の態様または第３の態様の任意の可能な実施例における方法を実行させるコンピュータプログラム命令を含むコンピュータプログラム製品を提供する。
【００５８】
第１９の態様は、コンピュータ上で実行されると、コンピュータに、上記の第１の態様または第１の態様の可能な実装のいずれかにおける方法を実行させるコンピュータプログラムを提供する。
【００５９】
第２０の態様は、コンピュータ上で実行されると、コンピュータに、上記の第２の態様または第２の態様の可能な実装のいずれかにおける方法を実行させるコンピュータプログラムを提供する。
【００６０】
第２１の態様は、コンピュータ上で実行されると、コンピュータに、上記の第３の態様または第３の態様の可能な実装のいずれかにおける方法を実行させるコンピュータプログラムを提供する。
【００６１】
第２２態様は、通信システムを提供し、基地局及び第１のネットワークノードを含み、ここで、前記基地局は、端末デバイスのウェイクアップ能力を取得し、前記ウェイクアップ能力に基づいて、省電力信号を送信するための第１の時間位置を決定し、前記第１の時間位置において、前記端末デバイスに前記省電力信号を送信するように構成される。前記ネットワークノードは、端末デバイスのウェイクアップ能力を決定し、前記ウェイクアップ能力は、基地局が省電力信号を送信するための第１の時間位置を決定するために用いられ、前記基地局に前記ウェイクアップ能力を指示するように構成される。ここで、前記省電力信号は、前記端末デバイスが第２の時間位置でウェイクアップ又はスリープするように指示し前記ウェイクアップ能力が第１のウェイクアップ能力又は第２のウェイクアップ能力を含み、第１のウェイクアップ能力を備える端末デバイスのウェイクアップ時間が第２のウェイクアップ能力を備える端末デバイスのウェイクアップ時間よりも大きい。
【００６２】
任意選択で、該通信システムがさらに端末デバイスを含み、ここで、前記端末デバイスは、前記端末デバイスのウェイクアップ能力に基づいて、省電力信号を受信するための第１の時間位置を決定し、前記省電力信号は、前記端末デバイスが第２の時間位置でウェイクアップ又はスリープするように指示し、前記第１の時間位置で基地局により送信された前記省電力信号を受信するように構成される。
【００６３】
具体的には、前記基地局は、上記の第１の態様または第１の態様の任意の可能な実施例における方法を実行するように構成され、第１のネットワークノードは、上記の第２の態様または第２の態様の任意の可能な実施例における方法を実行するように構成され、端末デバイスは、上記の第３の態様または第３の態様の任意の可能な実施例における方法を実行するように構成される。
【図面の簡単な説明】
【００６４】
【図１】本願の実施例における無線通信システムの模式図である。
【図２】ＤＲＸ周期の模式図である。
【図３】本願の実施例における信号伝送方法のフローチャートである。
【図４（ａ）】本願の実施例におけるタイミング期間の模式図である。
【図４（ｂ）】本願の実施例における他のタイミング期間の模式図である。
【図５】本願の実施例における信号伝送方法のフローチャートである。
【図６】本願の実施例における基地局のブロック図である。
【図７】本願の実施例におけるネットワークノードのブロック図である。
【図８】本願の実施例における通信デバイスのブロック図である。
【図９】本願の実施例におけるチップのブロック図である。
【図１０】本願の実施例における通信システムのブロック図である。
【発明を実施するための形態】
【００６５】
本願実施例の技術は、様々な通信システムに適用可能であり、例えば、Ｇｌｏｂａｌ Ｓｙｓｔｅｍ ｏｆ Ｍｏｂｉｌｅ Ｃｏｍｍｕｎｉｃａｔｉｏｎ （ ＧＳＭ )システム、符号分割多元接続( Ｃｏｄｅ Ｄｉｖｉｓｉｏｎ Ｍｕｌｔｉｐｌｅ Ａｃｃｅｓｓ、ＣＤＭＡ )システム、Ｗｉｄｅｂａｎｄ Ｃｏｄｅ Ｄｉｖｉｓｉｏｎ Ｍｕｌｔｉｐｌｅ Ａｃｃｅｓｓ （ ＷＣＤＭＡ )システム、ユニバーサルパケット無線サービス( Ｇｅｎｅｒａｌ Ｐａｃｋｅｔ Ｒａｄｉｏ Ｓｅｒｖｉｃｅ、ＧＰＲＳ )、ロングタームエボリューション( Ｌｏｎｇ Ｔｅｒｍ Ｅｖｏｌｕｔｉｏｎ、ＬＴＥ )システム、ＬＴＥ周波数分割複信( Ｆｒｅｑｕｅｎｃｙ Ｄｉｖｉｓｉｏｎ Ｄｕｐｌｅｘ、ＦＤＤ )システム、ＬＴＥ時分割複信( Ｔｉｍｅ  Ｄｉｖｉｓｉｏｎ  Ｄｕｐｌｅｘ、ＴＤＤ )システム、アドバンスドロングタームエボリューション( Ａｄｖａｎｃｅｄ ｌｏｎｇ ｔｅｒｍ ｅｖｏｌｕｔｉｏｎ、ＬＴＥ−Ａ )システム、新規無線( Ｎｅｗ Ｒａｄｉｏ、ＮＲ )システム、NRシステムのエボリューションシステム、免許不要スペクトル上のＬＴＥ ( ＬＴＥ−ｂａｓｅｄ ａｃｃｅｓｓ ｔｏ ｕｎｌｉｃｅｎｓｅｄ ｓｐｅｃｔｒｕｍ、ＬＴＥ−Ｕ )システム、免許不要スペクトル上のＮＲ ( ＮＲ−ｂａｓｅｄ ａｃｃｅｓｓ ｔｏ ｕｎｌｉｃｅｎｓｅｄ ｓｐｅｃｔｒｕｍ、ＮＲ−Ｕ )システム、ユニバーサル移動通信システム( Ｕｎｉｖｅｒｓａｌ Ｍｏｂｉｌｅ Ｔｅｌｅｃｏｍｍｕｎｉｃａｔｉｏｎ Ｓｙｓｔｅｍ、ＵＭＴＳ )、ＷｉＭＡＸ通信システム、無線ローカルエリアネットワーク( Ｗｉｒｅｌｅｓｓ Ｌｏｃａｌ Ａｒｅａ Ｎｅｔｗｏｒｋｓ、ＷＬＡＮ )、無線セキュリティ( Ｗｉｒｅｌｅｓｓ Ｆｉｄｅｌｉｔｙ、ＷｉＦｉ )、次世代通信システム、又は他の通信システム等である。
【００６６】
従来の通信システムがサポートする接続数は限られており、実現も容易であるが、通信技術の発展に伴い、移動通信システムは従来の通信だけでなく、例えば、デバイス-デバイス( Ｄｅｖｉｃｅ ｔｏ Ｄｅｖｉｃｅ、Ｄ２Ｄ )通信、マシン-マシン( Ｍａｃｈｉｎｅ ｔｏ Ｍａｃｈｉｎｅ、Ｍ２Ｍ )通信、マシン型通信( Ｍａｃｈｉｎｅ Ｔｙｐｅ Ｃｏｍｍｕｎｉｃａｔｉｏｎ、ＭＴＣ )、車車間通信( Ｖｅｈｉｃｌｅ ｔｏ Ｖｅｈｉｃｌｅ、Ｖ２Ｖ )などをサポートし、本願実施例はこれらの通信システムにも適用可能である。
【００６７】
任意選択で、本願の実施例における通信システムは、キャリアアグリゲーション( Ｃａｒｒｉｅｒ Ａｇｇｒｅｇａｔｉｏｎ、ＣＡ )シーンに適用されてもよく、デュアルコネクティビティ( Ｄｕａｌ Ｃｏｎｎｅｃｔｉｖｉｔｙ、ＤＣ )シーンに適用されてもよく、スタンドアロン( Ｓｔａｎｄａｌｏｎｅ、ＳＡ )ネットワーキングシーンに適用されてもよい。
【００６８】
本願実施例が適用する周波数スペクトルは限定されない。例えば、本願の実施例は、認可スペクトルにも認可無しスペクトルにも適用され得る。
【００６９】
図１は、本願の実施例が適用される１つの可能な無線通信システム１００を示す。無線通信システム１００は、ネットワークデバイス１１０を含み得る。ネットワークデバイス１１０は、端末デバイスと通信するデバイスであってもよい。ネットワークデバイス１１０は、特定の地理的エリアに通信カバレージを提供し得、そのカバレージ内に位置する端末デバイスと通信し得る。任意選択で、ネットワークデバイス１００は、ＧＳＭシステムまたはＣＤＭＡシステムにおける基地局( Ｂａｓｅ Ｔｒａｎｓｃｅｉｖｅｒ Ｓｔａｔｉｏｎ、ＢＴＳ )、ＷＣＤＭＡシステムにおける基地局( ＮｏｄｅＢ、ＮＢ )、ＬＴＥシステムにおける発展型基地局( Ｅｖｏｌｕｔｉｏｎａｌ Ｎｏｄｅ Ｂ、ｅＮＢ、又はｅＮｏｄｅＢ )、ＮＲシステムにおけるネットワーク側装置、またはクラウド無線アクセスネットワーク( Ｃｌｏｕｄ Ｒａｄｉｏ Ａｃｃｅｓｓ Ｎｅｔｗｏｒｋ、ＣＲＡＮ )における無線コントローラであってもよく、または中継局、アクセスポイント、車載装置、ウェアラブル装置、次世代ネットワークにおけるネットワーク側装置、または将来進化するパブリック地上波モバイルネットワーク( Ｐｕｂｌｉｃ Ｌａｎｄ Ｍｏｂｉｌｅ Ｎｅｔｗｏｒｋ、ＰＬＭＮ )におけるネットワークデバイスなどであってもよい。
【００７０】
無線通信システム１００は、ネットワークデバイス１１０のカバレージ内に配置された少なくとも１つの端末デバイス１２０をさらに含む。端末デバイス１２０は、移動型であってもよく、固定型であってもよい。任意選択で、端末デバイス１２０は、アクセス端末、ユーザ機器( Ｕｓｅｒ Ｅｑｕｉｐｍｅｎｔ、ＵＥ )、ユーザ装置、ユーザ局、移動局、モバイル、リモート局、リモート端末、モバイル機器、ユーザ端末、無線通信機器、ユーザエージェント、またはユーザ装置を指し得る。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来開発されるＰＬＭＮにおける端末デバイスなどであり得る。このとき、任意選択的に、端末デバイス１２０間の端末直接接続( Ｄｅｖｉｃｅ ｔｏ Ｄｅｖｉｃｅ、Ｄ２Ｄ )通信も行われてもよい。
【００７１】
具体的には、ネットワークデバイス１１０は、カバレッジが小さく、送信電力が低いという特徴を有する、高レートのデータ伝送サービスを提供するのに適した、マクロセル( Ｍｅｔｒｏ ｃｅｌｌ )、マイクロセル( Ｍｉｃｒｏ ｃｅｌｌ )、ピコセル( Ｐｉｃｏ ｃｅｌｌ )、フェムトセル( Ｆｅｍｔｏ ｃｅｌｌ )などを含むことができる、ネットワークデバイス１１０ (例えば、基地局)に対応するセルであってもよい、マクロ基地局に属してもよい、または、スモールセル( Ｓｍａｌｌ ｃｅｌｌ )に対応する基地局に属してもよいセルによって使用される伝送リソース(例えば、周波数領域リソース、または、スペクトルリソース)を通じて、端末デバイス１２０がネットワークデバイス１１０と通信することができる。
【００７２】
図１は、１つのネットワークデバイス及び２つの端末デバイスを例示的に示し、任意選択で、無線通信システム１００は、複数のネットワークデバイスを含み、各ネットワークデバイスのカバレージ内に他の数の端末デバイスを含んでもよく、本願の実施例は、これに限定されない。
【００７３】
任意選択で、無線通信システム１００は、ネットワークコントローラ、モビリティ管理エンティティなどの他のネットワークエンティティをさらに含むことができ、本願の実施例はこれに限定されない。
【００７４】
端末デバイスのＤＲＸ周期( ＤＲＸ Ｃｙｃｌｅ )には、活性化期間( Ｏｎ ｄｕｒａｔｉｏｎ )とスリープ期間( Ｏｐｐｏｒｔｕｎｉｔｙ ｆｏｒ ＤＲＸ )が含まれ、例えば、図２に示すように、端末デバイスは、活性化期間内、すなわちＯｎ ｄｕｒａｔｉｏｎの期間内に物理下り制御チャネル( Ｐｈｙｓｉｃａｌ Ｄｏｗｎｌｉｎｋ Ｃｏｎｔｒｏｌ Ｃｈａｎｎｅｌ、ＰＤＣＣＨ )を検出することができ、端末デバイスは、スリープ期間内、すなわちＯｐｐｏｒｔｕｎｉｔｙ ｆｏｒ ＤＲＸの期間内にＰＤＣＣＨの受信を停止することにより(この場合、端末デバイスは、ＰＤＣＣＨ又はページングメッセージのブラインド検出を停止する)、電力消費を低減し、バッテリ使用時間を向上させることができる。すなわち、端末デバイスは、活性化期間では、ウェイクアップ状態にありＰＤＣＣＨを検出し、スリープ期間では、スリープ状態にありチャネルや信号の検出を行わない。
【００７５】
ネットワークは、端末デバイスが活性化期間中にＰＤＣＣＨを検出するようにＤＲＸ周期を端末デバイスに構成するが、端末デバイスは活性化期間中にスケジューリングされる機会があるのみであり、トラフィック負荷が低い場合でも少数のＤＲＸ周期でしかスケジューリングされない。ＤＲＸメカニズムを採用するページングメッセージの場合、端末デバイスがページングメッセージを受信する機会は少ない。従って、端末デバイスは、ＤＲＸメカニズムが構成された後、ほとんどのＤＲＸ周期の活性化期間において制御チャネルを検出することができないが、これらのＤＲＸの活性化期間において依然としてウェイクアップすることがあり、これは、端末デバイスの不要な電力消費を増加させる。
【００７６】
そこで、５Ｇシステムでは、端末デバイスの状態を制御して省電力化を図るための省電力信号が導入されている。この省電力信号は、端末デバイスの消費電力を低減するために、端末デバイスのウェイクアップ状態及びスリープ状態を制御するために用いられる。例えば、この省電力信号信号は、端末デバイスがＤＲＸ周期内の「活性化期間」内にウェイクアップすることを示すウェイクアップ信号であり得、端末デバイスは、このウェイクアップ信号を検出すると、その後の１つ以上の「活性化期間」内にウェイクアップしてＰＤＣＣＨを検出し、端末デバイスは、このウェイクアップ信号を検出しないと、その後の１つ以上の活性化期間内にスリープ状態を維持しＰＤＣＣＨ検出を行わず、あるいは、この省電力信号は、ＤＲＸ周期内の「活性化期間」にわたって端末デバイスがスリープ状態であることを示すために使用され、端末デバイスは、このウェイクアップ信号が検出されない場合、その後の１つ以上の「活性化期間」にわたって通常はウェイクアップしてＰＤＣＣＨを検出し、端末デバイスは、このウェイクアップ信号が検出した場合、その後の１つ以上の活性化期間にわたってスリープ状態を維持してＰＤＣＣＨ検出を行わなくても良い。このような指示情報は端末デバイスの省電力化に寄与するため、省電力信号( Ｐｏｗｅｒ Ｓａｖｉｎｇ Ｓｉｇｎａｌ )と呼ばれる。
【００７７】
端末デバイスは、ページングメッセージを受信し、そのページング周期内の特定のフレーム(ページング無線フレーム又はページングフレーム( Ｐａｇｉｎｇ Ｆｒａｍｅ、ＰＦ )と呼ばれる)内の特定のサブフレーム(ページング時刻( Ｐａｇｉｎｇ Ｏｃｃａｓｉｏｎ、ＰＯ )と呼ばれる)内で行う。端末デバイスは、このＰＯ内に自己のページングメッセージがあるか否かを検出する。ＰＯは、ページング無線ネットワーク一時識別子( Ｐａｇｉｎｇ Ｒａｄｉｏ Ｎｅｔｗｏｒｋ Ｔｅｍｐｏｒａｒｙ Ｉｄｅｎｔｉｔｙ、Ｐ−ＲＮＴＩ )を使用してスクランブルされ、ページングメッセージを示すＰＤＣＣＨが存在し得るサブフレームである。ＤＲＸメカニズムが採用される場合、端末デバイスは、ＤＲＸ周期毎に１つのＰＯを検出するだけでよく、すなわち、各端末デバイスに対応し、ページングメッセージを送信するために各ページング周期毎に１つのサブフレームしか使用されない。ページングメッセージの送信は、ＤＲＸメカニズムとしても理解され、ページングサイクルの長さはＤＲＸ周期の長さと等しくなりうる。
【００７８】
同様に、ページングメッセージについても、端末は比較的長い時間にわたってＰＯの一部でのみページングを受けるが、ほとんどのＰＯでは、端末がページングメッセージを検出してスケジューリングされたＰＤＣＣＨにおいて、対応する端末がないページングメッセージであり、したがって、上述の省電力信号によって、端末のウェイクアップまたはスリープ状態を制御して、省電力を達成することもできる。例えば、ネットワークデバイスがあるＰＯ上でページングメッセージを端末デバイスに送信する場合、ＰＯの前にこの省電力信号が端末デバイスに送信され、端末デバイスがＰＯ上でウェイクアップして自己のページングメッセージを受信することを示す。
【００７９】
さらに、接続状態の端末デバイスのＰＤＣＣＨ受信や「活性化期間」のＰＤＣＣＨ受信についても、上記と同様の問題が生じ、１つのシステムに複数の端末デバイスが存在し、システム負荷が高い場合には、１つの端末デバイスで一部の時間にのみＰＤＣＣＨスケジューリングが行われ、同様に端末デバイスのトラフィック到着の時間的な不確定性や、端末デバイスのトラフィック到着後にのみネットワークデバイスが端末デバイスのスケジューリングを行うためである。したがって、接続状態にある端末デバイスのＰＤＣＣＨ受信または「活性化期間」にあるＰＤＣＣＨ受信の場合も、同様に、省電力化の目的のために、上述の省電力信号によって、端末デバイスのウェイクアップまたはスリープ状態が制御され得る。
【００８０】
異なる端末デバイスが異なるウェイクアップ能力を有する可能性があり、ウェイクアップ能力によって要求されるウェイクアップ時間が異なる場合があるので、本願の実施例では、基地局が端末デバイスのウェイクアップ能力を取得し、そのウェイクアップ能力に応じて省電力信号を送信する時間位置を決定することで、省電力信号の指示に応じて端末デバイスが効果的にウェイクアップ又はスリープできることを提案する。
【００８１】
図３は、本願の実施例による信号伝送方法３００の概略フローチャートである。図３に示す方法は、例えば、図１に示すネットワークデバイス１１０、基地局などのネットワークデバイスによって実行され得る。図３に示されるように、信号伝送方法３００は、以下の少なくとも一部を含む
３１０において、基地局が端末デバイスのウェイクアップ能力を取得する。
【００８２】
３２０において、該基地局が該ウェイクアップ能力に基づいて、省電力信号を送信するための第１の時間位置を決定する。
【００８３】
３３０において、該基地局が該第１の時間位置において、該端末デバイスに該省電力信号を送信する。
【００８４】
任意選択で、該省電力信号（Ｐｏｗｅｒ Ｓａｖｉｎｇ Ｓｉｇｎａｌ、ＰＳＳ）は、該端末デバイスが第２の時間位置でウェイクアップ又はスリープするように指示する。該省電力信号は、例えば、ウェイクアップ信号（Ｗａｋｅ Ｕｐ Ｓｉｇｎａｌ、ＷＵＳ）である。
【００８５】
任意選択で、該第２の時間位置は、ＤＲＸ周期において該端末デバイスが下り制御チャネル検出を行うための１番目のサブフレーム又はスロットである。
【００８６】
任意選択で、該第２の時間位置は、ページングメッセージを伝送するためのページング時刻ＰＯである。
【００８７】
ここで、該省電力信号が端末デバイスが該第２の時間位置でウェイクアップするように指示する場合、該方法は、さらに、該基地局が該ＰＯにおいて該端末デバイスに該ページングメッセージを送信することを含む。
【００８８】
本願実施例は、第２の時間位置を限定しないが、省電力信号は、その後のＤＲＸ周期の活性化期間内に端末デバイスがウェイクアップ又はスリープすることを指示してもよく、その後のＰＯで端末デバイスがウェイクアップ又はスリープすることを指示してもよく、通信のためにウェイクアップする必要がある他の時間位置、例えば、そのデータが到達した時間位置で端末デバイスがウェイクアップ又はスリープすることを指示してもよく、本願実施例は、これを何ら限定するものではない。
【００８９】
ここで、該ウェイクアップ能力（ｗａｋｅ−ｕｐ ｃａｐａｂｉｌｉｔｙ）が第１のウェイクアップ能力又は第２のウェイクアップ能力を含み、第１のウェイクアップ能力を備える端末デバイスのウェイクアップ時間が第２のウェイクアップ能力を備える端末デバイスのウェイクアップ時間よりも大きい。
【００９０】
本願の実施例では、第１のウェイクアップ能力及び第２のウェイクアップ能力のみを例として説明するが、端末デバイスは、他のウェイクアップ能力を有してもよく、これらの異なるウェイクアップ能力に対応するウェイクアップ時間は、異なり、すなわち、端末デバイスが異なるウェイクアップ能力を有する場合に必要なウェイクアップ時間は、異なる。従って、本願の実施例におけるウェイクアップ能力は、「ウェイクアップ時間能力」とも称され得る。基地局は、端末デバイスのウェイクアップ能力に応じて、端末デバイスに省電力信号を送信するための第１時間位置を決定することができる。
【００９１】
このウェイクアップ時間は、例えば、端末デバイスが省電力信号を受信してから、信号検出又はチャネル検出を行うことができるように端末デバイスが完全にウェイクアップするまでの時間とすることができる。
【００９２】
任意選択で、第１のウェイクアップ能力を有する端末デバイスは、低消費電力で動作する受信機及びプロセッサを用いてこの省電力信号を受信及び処理し、この省電力信号が、その後の第２の時間位置において端末デバイスがウェイクアップすることを示す場合、汎用受信機及びプロセッサをオンにして、第２の時間位置において伝送される他の通信信号を受信及び処理し、第２のウェイクアップ能力を有する端末デバイスは、汎用の受信機及びプロセッサを用いてこの省電力信号及び他の通信信号を受信及び処理する。
【００９３】
低消費電力で動作する受信機およびプロセッサは、低消費電力で動作するように最適設計される。前記第２のウェイクアップ能力を有する端末デバイスは、省電力信号を受信する前に、前記汎用受信機をオンにして該省電力信号をサンプリングし、サンプリングした省電力信号を前記汎用プロセッサをオンにして処理する。第１のウェイクアップ能力を有する端末デバイスは、低消費電力で動作する受信部とプロセッサとを用いて、それぞれ省電力信号信号を受信して処理し、端末デバイスは、省電力信号がウェイクアップを示す場合にのみ、汎用の受信機とプロセッサとをオンにして上り下り通信信号を送受信することで、省電力信号を受信したときの端末デバイスの消費電力を大幅に低減することができる。しかしながら、第１のウェイクアップ能力を有する端末デバイスは、処理を受信して、省電力信号がウェイクアップを示すことを識別した時刻で、汎用の受信機及びプロセッサをオンにしなければならず、第１のウェイクアップ能力を有する端末デバイスのウェイクアップ時間は、第２のウェイクアップ能力を有する端末デバイスのウェイクアップ時間よりも長い。したがって、ウェイクアップ能力が異なる端末デバイスでは、基地局が省電力信号を送信する第１時間位置も異なる。
【００９４】
そして、基地局は、端末デバイスのウェイクアップ能力を取得し、該ウェイクアップ能力決定に基づいて省電力信号を送信する時間位置を決定することで、端末デバイスが該省電力信号の指示に基づいて効率的にウェイクアップ又はスリープするように確保する。
【００９５】
任意選択で、３２０において、該基地局が該ウェイクアップ能力に基づいて省電力信号を送信するための第１の時間位置を決定することは、該基地局が該ウェイクアップ能力に基づいて、該第１の時間位置と該第２の時間位置との間のタイミング期間を決定し、該基地局が該タイミング期間及び該第２の時間位置に基づいて、該第１の時間位置を決定することを含む。
【００９６】
なお、このタイミング期間は、端末デバイスのウェイクアップ時間以上であるべきであり、すなわち、少なくとも、端末デバイスがウェイクアップを示す省電力化信号を受信してから、十分な時間だけウェイクアップして信号検出又はチャネル検出を行うことができることが保証されるべきである。
【００９７】
任意選択で、該第１のウェイクアップ能力を有する該端末デバイスの該タイミング期間が該第２のウェイクアップ能力を有する該端末デバイスの該タイミング期間よりも大きい。
【００９８】
任意選択で、該タイミング期間は、該第１の時間位置の開始時刻又は終了時刻と該第２の時間位置の開始時刻とのタイミング期間である。
【００９９】
第１のウェイクアップ能力を備える端末デバイスのウェイクアップ時間が第２のウェイクアップ能力を備える端末デバイスのウェイクアップ時間よりも大きいため、異なる第１のウェイクアップ能力の端末デバイスに対して、ネットワークデバイスが省電力信号を送信する第１の時間位置が異なっても良い。例えば、第１のウェイクアップ能力を有する端末デバイスでは、そのウェイクアップ時間が長いため、第１の時間位置と第２の時間位置との間のタイミング期間を長く設定することができ、第２のウェイクアップ能力を有する端末デバイスは、ウェイクアップ時間が短いため、第１の時間位置と第２の時間位置との間のタイミング期間を短く設定することができる。
【０１００】
このタイミング期間は、例えば図４(ａ)に示すように、第１の時間位置の開始時刻と第２の時間位置との間の時間である。
【０１０１】
また、例えば、図４(ｂ)に示すように、当該タイミング期間は、第１の時間位置の終了時刻と当該第２の時間位置との間の時間である。
【０１０２】
図４(ａ)及び図４(ｂ)から分かるように、基地局が第１のウェイクアップ能力を有する端末デバイスに省電力信号を送信する第１の時間位置は、基地局が第２のウェイクアップ能力を有する端末デバイスに省電力信号を送信する第１の時間位置よりも早い。すなわち、第１のウェイクアップ能力を有する端末デバイスに対応するタイミング期間１は、第２のウェイクアップ能力を有する端末デバイスに対応するタイミング期間２よりも長い。
【０１０３】
なお、この省電力信号は、端末デバイスが第２の時間位置においてウェイクアップまたはスリープすることを示し、この省電力信号がウェイクアップまたはスリープを示すかに関わらず、基地局が端末デバイスのウェイクアップ能力に基づいて省電力信号を送信する第１の時間位置を決定し、すなわち、ウェイクアップ又はスリープの指示が同一の信号即ち該省電力信号により実現され、該省電力信号がウェイクアップ又はスリープを示すことは、該省電力信号を送信する第１の時間位置の決定過程に関連しない。
【０１０４】
任意選択で、３１０において、該基地局が端末デバイスのウェイクアップ能力を取得することは、該基地局が第１のネットワークノードにより送信された指示情報を受信し、該指示情報は、該端末デバイスの該ウェイクアップ能力を指示する。
【０１０５】
任意選択で、３１０において、該基地局が端末デバイスのウェイクアップ能力を取得することは、該基地局が第１のネットワークノードにより送信された透明なコンテナを受信し、該透明なコンテナに該端末デバイスの該ウェイクアップ能力が含まれ、該基地局が該透明なコンテナから該ウェイクアップ能力を取得することを含む。
【０１０６】
この第１のネットワークノードは、例えば、コアネットワークページングのシーンに適用され得るコアネットワークノードを含み、又は、第１のネットワークノードは、アクセスネットワーク(Ｒａｄｉｏ Ａｃｃｅｓｓ Ｎｅｔｗｏｒｋ、ＲＡＮ )ページングのシーンに適用され得るアクセスネットワークノードを含む。
【０１０７】
このコアネットワークノードは、例えば、モビリティ管理エンティティ( Ｍｏｂｉｌｉｔｙ Ｍａｎａｇｅｍｅｎｔ Ｅｎｔｉｔｙ、ＭＭＥ )であり、又は、他のコアネットワークノード、例えば、ＬＴＥネットワークのパケットコアエボリューション( Ｅｖｏｌｖｅｄ Ｐａｃｋｅｔ Ｃｏｒｅ、ＥＰＣ )、アクセス及びモビリティ管理機能( Ａｃｃｅｓｓ ａｎｄ Ｍｏｂｉｌｉｔｙ Ｍａｎａｇｅｍｅｎｔ Ｆｕｎｃｔｉｏｎ、ＡＭＦ )又はセッション管理機能( Ｓｅｓｓｉｏｎ Ｍａｎａｇｅｍｅｎｔ Ｆｕｎｃｔｉｏｎ、ＳＭＦ )等であってもよい。
【０１０８】
このアクセスネットワークノードは、例えば、有線接続によってコアネットワークに接続可能なアクセスネットワークマスタノード(「アンカーノード」とも呼ばれる)であり、他のアクセスネットワークノード、例えば、基地局は、無線接続によってこのマスタノードに接続可能であり、このマスタノードを介してコアネットワークにデータを伝送する。
【０１０９】
任意選択で、３１０において、基地局は、端末デバイスのウェイクアップ能力を取得し、基地局は、端末デバイスのデバイス識別子( ＵＥ ＩＤ )と、それが保持するデバイス識別子とウェイクアップ能力との間のマッピング関係とに基づいて、端末デバイスのウェイクアップ能力を決定してもよい。基地局は、端末デバイスによって報告されたウェイクアップ能力を受信して、デバイス識別子とウェイクアップ能力との間のマッピングを確立し得る。
【０１１０】
図５は、本願の実施例による信号伝送方法５００の概略フローチャートである。図５に示す方法は、例えば、第１のネットワークノードによって実行され得る。任意選択で、第１のネットワークノードは、例えば、ＭＭＥ、ＡＭＦ、ＳＭＦなどのコアネットワークノード、または、例えば、アクセスネットワークマスタノードなどのアクセスネットワークノードであり、図５に示されるように、信号伝送方法５００は、以下の少なくとも一部分を含む
５１０において、第１のネットワークノードが端末デバイスのウェイクアップ能力を決定し、該ウェイクアップ能力は、基地局が省電力信号を送信するための第１の時間位置を決定するために使用される。
【０１１１】
任意選択で、該省電力信号は、該端末デバイスが第２の時間位置でウェイクアップ又はスリープするように指示する。
【０１１２】
任意選択で、該第２の時間位置は、非連続受信ＤＲＸ周期において該端末デバイスが下り制御チャネル検出を行うための１番目のサブフレーム又はスロットである。
【０１１３】
任意選択で、該第２の時間位置は、ページングメッセージを伝送するためのＰＯである。
【０１１４】
ここで、該省電力信号が端末デバイスが該第２の時間位置でウェイクアップするように指示する場合、該第１のネットワークノードは、基地局が該ＰＯにおいて該端末デバイスに対する該ページングメッセージを該端末デバイスに送信するようにトリガーする。
【０１１５】
５２０において、該第１のネットワークノードが該基地局に該ウェイクアップ能力を指示する。
【０１１６】
ここで、該ウェイクアップ能力が第１のウェイクアップ能力又は第２のウェイクアップ能力を含み、第１のウェイクアップ能力を備える端末デバイスのウェイクアップ時間が第２のウェイクアップ能力を備える端末デバイスのウェイクアップ時間よりも大きい。
【０１１７】
このウェイクアップ時間は、例えば、端末デバイスが省電力信号を受信してから、信号検出又はチャネル検出を行うことができるように端末デバイスが完全にウェイクアップするまでの時間とすることができる。
【０１１８】
任意選択で、第１のウェイクアップ能力を有する端末デバイスは、低消費電力で動作する受信機及びプロセッサを用いて該省電力信号を受信及び処理し、該省電力信号が、その後の第２の時間位置において端末デバイスがウェイクアップすることを示す場合、汎用受信機及びプロセッサをオンにして、第２の時間位置において伝送される他の通信信号を受信及び処理し、第２のウェイクアップ能力を有する端末デバイスは、汎用の受信機及びプロセッサを用いて該省電力信号及び他の通信信号を受信及び処理する。
【０１１９】
したがって、第１のネットワークノードは、端末デバイスのウェイクアップ能力を決定し、ウェイクアップ能力を基地局に指示して、基地局は、このウェイクアップ能力に基づいて、端末デバイスに省電力信号を送信する時間位置を決定することができ、それによって、端末デバイスが、この省電力信号の指示に従って、効果的にウェイクアップ又はスリープすることができることを確保する。
【０１２０】
任意選択で、３１０において、該第１のネットワークノードが端末デバイスのウェイクアップ能力を決定することは、該第１のネットワークノードが該端末デバイスのデバイス識別子（ＵＥ ＩＤ）、及びデバイス識別子とウェイクアップ能力とのマッピング関係に基づいて、該端末デバイスの該ウェイクアップ能力を決定することを含む。
【０１２１】
任意選択で、３１０の前に、該方法は、さらに、該第１のネットワークノードが該マッピング関係を生成することを含む。
【０１２２】
さらに、任意選択で、該第１のネットワークノードが該端末デバイスの該ウェイクアップ能力を取得し、該ウェイクアップ能力に基づいて、該マッピング関係を生成する。
【０１２３】
例えば、端末デバイスが該第１のネットワークノードに自分のウェイクアップ能力を報告し、該第１のネットワークノードが端末デバイスから報告された該端末デバイスのウェイクアップ能力を受信し、該ウェイクアップ能力と該端末デバイスのＵＥ ＩＤとのマッピング関係を記録する。
【０１２４】
任意選択で、５２０において、該第１のネットワークノードが該基地局に該ウェイクアップ能力を指示することは、該第１のネットワークノードが該基地局に指示情報を送信することを含み、該指示情報は、該端末デバイスの該ウェイクアップ能力を指示する。
【０１２５】
又は、任意選択で、５２０において、該第１のネットワークノードが基地局に該ウェイクアップ能力を指示することは、該第１のネットワークノードが該基地局に透明なコンテナを送信することを含み、該透明なコンテナには該端末デバイスの該ウェイクアップ能力が含まれる。
【０１２６】
第１のネットワークノードがＭＭＥである場合を例にとると、ＭＭＥは、端末デバイスのウェイクアップ能力を取得した後、当該端末デバイスのウェイクアップ能力の情報を保存してもよい。例えば、ＭＭＥは、端末デバイスのＵＥ ＩＤとウェイクアップ能力とのマッピング関係を記録し、ウェイクアップ能力情報記録テーブル(例えば、表１)を形成し、保持する。ＭＭＥは、基地局がページングメッセージを端末に送信するようにトリガする場合、端末デバイスのＵＥ ＩＤに基づいて、ウェイクアップ能力情報記録テーブルを参照して、当該端末デバイスのウェイクアップ能力を決定し、当該ウェイクアップ能力の情報を基地局に送信することができる。あるいは、ＭＭＥは、透明なコンテナに、端末デバイスのウェイクアップ能力の情報をカプセル化してもよい。ＭＭＥは、端末デバイスのウェイクアップ能力を含む透明なコンテナを受信した場合に保存し、ページングメッセージを端末デバイスに送信する場合、端末デバイスのウェイクアップ能力の情報を含む透明なコンテナを基地局に送信する。
【０１２７】
第１のネットワークノードをマスタノードとする例において、マスタノードは、端末デバイスのウェイクアップ能力を取得した後、当該端末デバイスのウェイクアップ能力の情報を保存することができる。例えば、マスタノードは、端末デバイスのＵＥ ＩＤとウェイクアップ能力との対応関係を記録し、ウェイクアップ能力情報記録テーブル（例えば、表１）を形成して保持する。マスタノードは、基地局がページングメッセージを端末に送信することをトリガする場合、端末デバイスのUE IDが与え、ウェイクアップ能力情報記録テーブルを参照して、端末デバイスのウェイクアップ可能性を決定し、ウェイクアップ能力の情報を基地局に送信することができる。あるいは、マスタノードは、当該端末デバイスのウェイクアップ能力の情報を透明なコンテナにカプセル化してもよい。マスタノードは、端末デバイスのウェイクアップ能力を含む透明なコンテナを受信して保持し、ページングメッセージを端末デバイスに送信する時に、端末デバイスのウェイクアップ能力の情報を含む透明なコンテナを基地局に送信する。
【０１２８】
【表１】
2021528889.tif 000003
【０１２９】
任意選択で、第１のネットワークノードは、端末デバイスのウェイクアップ能力を取得した後、該端末デバイスのウェイクアップ能力に基づいて、基地局が該端末デバイスに省電力信号を送信する第１の時間位置を決定し、例えば、第１のネットワークノードは、端末デバイスのウェイクアップ能力に基づいて、該第１の時間位置と該第２の時間位置との間のタイミング期間を決定し、該タイミング期間及び該第２の時間位置に基づいて、該第１の時間位置を決定した後、該第１の時間位置を基地局に指示することができる。
【０１３０】
なお、第１のネットワークノードによって基地局に示されるウェイクアップ能力及びタイミング期間の具体的な詳細は、前述の図３の基地局に関する説明を参照し、簡潔にするためにここで説明を省略する。
【０１３１】
なお、本明細書に記載の各実施例および/または各実施例の技術的特徴は、矛盾が生じない範囲で任意に組み合わせることができ、組み合わせた技術的解決策も本明細書の保護範囲に含まれる。
【０１３２】
なお、本願の様々な実施例において、上述のプロセスの順序のサイズは、実行順序の先後を意味するものではなく、各プロセスの実行順序は、その機能及び内部ロジックにおいて決定されるべきであり、本願の実施例のプロセスを何ら限定するものではない。
【０１３３】
本願の実施例による通信方法を上述したが、本願の実施例によるデバイスを図６〜図９を参照して以下に説明し、方法の実施例による技術構成は、以下のデバイスの実施例に適用される。
【０１３４】
図６は本願の実施例における基地局６００のブロック図である。図６に示すように、該基地局６００は、取得ユニット６１０、決定ユニット６２０及び送受信ユニット６３０を含む。
【０１３５】
取得ユニット６１０は、端末デバイスのウェイクアップ能力を取得するように構成され、
決定ユニット６２０は、前記取得ユニット６１０が取得した前記ウェイクアップ能力に基づいて、省電力信号を送信するための第１の時間位置を決定するように構成され、
送受信ユニット６３０は、前記決定ユニット６２０が決定した前記第１の時間位置において、前記端末デバイスに前記省電力信号を送信するように構成され、前記省電力信号は、前記端末デバイスが第２の時間位置でウェイクアップ又はスリープするように指示し、ここで、前記ウェイクアップ能力が第１のウェイクアップ能力又は第２のウェイクアップ能力を含み、第１のウェイクアップ能力を備える端末デバイスのウェイクアップ時間が第２のウェイクアップ能力を備える端末デバイスのウェイクアップ時間よりも大きい。
【０１３６】
そして、基地局は、端末デバイスのウェイクアップ能力を取得し、該ウェイクアップ能力に基づいて省電力信号を送信する時間位置を決定することで、端末デバイスが該省電力信号の指示に基づいて効率的にウェイクアップ又はスリープすることを確保することができる。
【０１３７】
任意選択で、前記決定ユニット６２０は、具体的に前記ウェイクアップ能力に基づいて、前記第１の時間位置と前記第２の時間位置との間のタイミング期間を決定し、前記タイミング期間及び前記第２の時間位置に基づいて、前記第１の時間位置を決定するように構成される。
【０１３８】
任意選択で、前記第１のウェイクアップ能力を有する前記端末デバイスの前記タイミング期間が前記第２のウェイクアップ能力を有する前記端末デバイスの前記タイミング期間よりも大きい。
【０１３９】
任意選択で、前記タイミング期間は、前記第１の時間位置の開始時刻又は終了時刻と前記第２の時間位置とのタイミング期間である。
【０１４０】
任意選択で、前記第２の時間位置は、非連続受信ＤＲＸ周期において前記端末デバイスが下り制御チャネル検出を行うための１番目のサブフレーム又はスロットである。
【０１４１】
任意選択で、前記第２の時間位置は、ページングメッセージを伝送するためのページング時刻ＰＯである。
【０１４２】
任意選択で、前記省電力信号が端末デバイスが前記第２の時間位置でウェイクアップするように指示する場合、前記送受信ユニット６３０は、さらに、前記基地局が前記ＰＯにおいて、前記端末デバイスに前記ページングメッセージを送信するように構成される。
【０１４３】
任意選択で、前記取得ユニット６１０は、具体的に、前記送受信ユニット６３０を介して第１のネットワークノードにより送信された指示情報を受信するように構成され、前記指示情報が前記端末デバイスの前記ウェイクアップ能力を示す。
【０１４４】
任意選択で、前記取得ユニット６１０は、具体的に、前記送受信ユニット６３０を介して第１のネットワークノードにより送信された透明なコンテナを受信し、前記透明なコンテナに前記端末デバイスの前記ウェイクアップ能力が含まれ、前記透明なコンテナから前記ウェイクアップ能力を取得するように構成される。
【０１４５】
任意選択で、前記第１のネットワークノードは、コアネットワークノード又はアクセスネットワークノードを含む。
【０１４６】
任意選択で、前記コアネットワークノードは、モビリティ管理エンティティＭＭＥを含む。
【０１４７】
任意選択で、前記アクセスネットワークノードは、アクセスネットワークマスタノードを含む。
【０１４８】
なお、基地局６００は、上記の方法３００において基地局によって実行される対応する動作を実行してもよく、簡潔にするために、ここでは詳しい説明を省略する。
【０１４９】
図７は本願の実施例におけるネットワークノード７００のブロック図である。該ネットワークノードが第１のネットワークノードであり、図７に示すように、該第１のネットワークノード７００は、決定ユニット７１０及び送受信ユニット７２０を含む。
【０１５０】
決定ユニット７１０は、端末デバイスのウェイクアップ能力を決定するように構成され、前記ウェイクアップ能力は、基地局が省電力信号を送信するための第１の時間位置を決定するために用いられ、前記省電力信号は、前記端末デバイスが第２の時間位置でウェイクアップ又はスリープするように指示し、
送受信ユニット７２０は、前記決定ユニット７１０が決定した前記ウェイクアップ能力を前記基地局に指示するように構成され、
ここで、前記ウェイクアップ能力が第１のウェイクアップ能力又は第２のウェイクアップ能力を含み、第１のウェイクアップ能力を備える端末デバイスのウェイクアップ時間が第２のウェイクアップ能力を備える端末デバイスのウェイクアップ時間よりも大きい。
【０１５１】
そして、ネットワークノードは、端末デバイスのウェイクアップ能力を決定し基地局にウェイクアップ能力を指示して、基地局が該ウェイクアップ能力に基づいて該端末デバイスに省電力信号を送信する時間位置を決定して、端末デバイスが該省電力信号の指示に基づいてウェイクアップ又はスリープするように確保することができる。
【０１５２】
任意選択で、前記決定ユニット７１０は、具体的に前記端末デバイスのデバイス識別子及びデバイス識別子とウェイクアップ能力とのマッピング関係に基づいて、前記端末デバイスの前記ウェイクアップ能力を決定するように構成される。
【０１５３】
任意選択で、前記第１のネットワークノードは、さらに、取得ユニットを含み、取得ユニットは、前記端末デバイスの前記ウェイクアップ能力を取得するように構成され、処理ユニットは、前記ウェイクアップ能力に基づいて、前記マッピング関係を生成するように構成される。
【０１５４】
任意選択で、前記送受信ユニット７２０は、具体的に、前記基地局に指示情報を送信するように構成され、前記指示情報が前記端末デバイスの前記ウェイクアップ能力を示す。
【０１５５】
任意選択で、前記送受信ユニット７２０は、具体的に、前記基地局に透明なコンテナを送信するように構成され、前記透明なコンテナに前記端末デバイスの前記ウェイクアップ能力が含まれる。
【０１５６】
任意選択で、前記第２の時間位置は、非連続受信ＤＲＸ周期において前記端末デバイスが下り制御チャネル検出を行うための１番目のサブフレーム又はスロットである。
【０１５７】
任意選択で、前記第２の時間位置は、ページングメッセージを伝送するためのページング時刻ＰＯである。
【０１５８】
任意選択で、前記第１のネットワークノードは、コアネットワークノード又はアクセスネットワークノードを含む。
【０１５９】
任意選択で、前記コアネットワークノードは、モビリティ管理エンティティＭＭＥを含む。
【０１６０】
任意選択で、前記アクセスネットワークノードは、アクセスネットワークマスタノードを含む。
【０１６１】
なお、ネットワークノード７００は、上述した方法５００において第１のネットワークノードによって実行される対応する動作を実行してもよく、簡潔のためにここでは詳しい説明を省略する。
【０１６２】
図８は、本願の実施例に係る通信デバイス８００の概略的なブロック図である。図８に示す通信デバイス８００は、メモリからコンピュータプログラムを呼び出して実行することにより、本願の実施例における方法を実現するプロセッサ８１０を備える。
【０１６３】
任意選択で、図８に示されるように、通信デバイス８００は、メモリ８２０をさらに含み得る。ここで、プロセッサ８１０は、メモリ８２０からコンピュータプログラムを呼び出して実行することにより、本願の実施例における方法を実現することができる。
【０１６４】
ここで、メモリ８２０は、プロセッサ８１０とは独立した１つの別個のデバイスであってもよく、プロセッサ８１０に集積されてもよい。
【０１６５】
任意選択で、図８に示すように、通信デバイス８００は、送受信機８３０を含み、プロセッサ８１０が送受信機８３０を制御して他の装置と通信し、具体的には、他の装置に情報又はデータを送信するか、又は他の装置によって送信された情報又はデータを受信することができる。
【０１６６】
ここで、送受信機８３０は、送信機および受信機を含み得る。送受信機８３０は、１つ以上の数のアンテナをさらに含み得る。
【０１６７】
任意選択で、通信デバイス８００は、本願の実施例の基地局であってもよく、通信デバイス８００は、本願の実施例の様々な方法において基地局により実施される対応するフローを実施してもよく、簡潔のためにここでは詳しい説明を省略する。
【０１６８】
任意選択で、通信デバイス８００は、本願の実施例の第１のネットワークノードであってもよく、通信デバイス８００は、本願の実施例の様々な方法のうち、第１のネットワークノードによって実現される対応するフローを実現してもよく、簡潔のために、ここでは詳しい説明を省略する。
【０１６９】
図９は、本願の実施例に従ったチップ９００の概略ブロック図である。図９に示されるチップ９００は、メモリからコンピュータプログラムを呼び出して実行することにより、本願の実施例における方法を実行するプロセッサ９１０を含む。
【０１７０】
任意選択で、図９に示すように、チップ９００は、メモリ９２０をさらに含んでもよい。プロセッサ９１０は、メモリ９２０からコンピュータプログラムを呼び出して実行することにより、本願の実施例における方法を実現することができる。
【０１７１】
ここで、メモリ９２０は、プロセッサ９１０とは独立した１つの別個のデバイスであってもよく、プロセッサ９１０に集積されていてもよい。
【０１７２】
任意選択で、チップ９００は、入力インターフェース９３０をさらに含み得る。プロセッサ９１０は、入力インターフェース９３０を制御して他のデバイス又はチップと通信してもよく、具体的には、他のデバイス又はチップによって送信された情報又はデータを取得してもよい。
【０１７３】
任意選択で、チップ９００は、出力インターフェース９４０も含み得る。ここで、プロセッサ９１０は、出力インターフェース９４０を制御して他のデバイスまたはチップと通信してもよく、具体的には、情報またはデータを他のデバイスまたはチップに出力してもよい。
【０１７４】
任意選択で、チップは、本願の実施例における基地局に適用されてもよく、チップは、本願の実施例の様々な方法において基地局によって実施される対応するフローを実施してもよく、簡潔にするためにここでは詳しい説明を省略する。
【０１７５】
任意選択で、チップは、本願の実施例におけるネットワークノードに適用されてもよく、チップは、本願の実施例の様々な方法における第１のネットワークノードによって実施される対応するフローを実施してもよく、簡潔のためにここでは詳しい説明を省略する。
【０１７６】
なお、本願の実施例で言及されるチップは、システムオンチップ、チップシステム、またはシステムオンチップなどと呼ばれることもある。
【０１７７】
上記のプロセッサは、汎用プロセッサ、デジタル信号プロセッサ( ｄｉｇｉｔａｌ ｓｉｇｎａｌ ｐｒｏｃｅｓｓｏｒ、ＤＳＰ )、既製のプログラマブルゲートアレイ( ｆｉｅｌｄ ｐｒｏｇｒａｍｍａｂｌｅ ｇａｔｅ ａｒｒａｙ、ＦＰＧＡ )、特定用途向け集積回路( ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ )、又は他のプログラマブル論理デバイス、トランジスタロジックデバイス、ディスクリートハードウェアコンポーネント等であり得る。ここで、汎用プロセッサは、マイクロプロセッサであってもよく、一般的なプロセッサ等であってもよい。
【０１７８】
上記メモリは、揮発性メモリまたは不揮発性メモリであってもよく、または揮発性メモリおよび不揮発性メモリの両方を含んでもよい。ここで、不揮発性メモリは、リードオンリーメモリ( Ｒｅａｄ−Ｏｎｌｙ Ｍｅｍｏｒｙ、ＲＯＭ )、プログラマブルリードオンリーメモリ( Ｐｒｏｇｒａｍｍａｂｌｅ ＲＯＭ、ＰＲＯＭ )、消去可能プログラマブルリードオンリーメモリ( Ｅｒａｓａｂｌｅ ＰＲＯＭ、ＥＰＲＯＭ )、電気的消去可能プログラマブルリードオンリーメモリ( Ｅｌｅｃｔｒｉｃａｌｌｙ ＥＰＲＯＭ、ＥＥＰＲＯＭ )、またはフラッシュメモリであってもよい。揮発性メモリは、ランダムアクセスメモリ( Ｒａｎｄｏｍ Ａｃｃｅｓｓ Ｍｅｍｏｒｙ、ＲＡＭ )であってよい。
【０１７９】
上述のメモリは、限定ではなく例示的であるが、例えば、本願の実施例におけるメモリは、スタティックランダムアクセスメモリ( Ｓｔａｔｉｃ ＲＡＭ、ＳＲＡＭ )、ダイナミックランダムアクセスメモリ( Ｄｙｎａｍｉｃ ＲＡＭ、ＤＲＡＭ )、シンクロナスダイナミックランダムアクセスメモリ( Ｓｙｎｃｈｒｏｎｏｕｓ ＤＲＡＭ、ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ、ＤＤＲ ＳＤＲＡＭ )、エンハンスメント型シンクロナスダイナミックランダムアクセスメモリ( Ｅｎｈａｎｃｅｄ ＳＤＲＡＭ、ＥＳＤＲＡＭ )、同期接続ダイナミックランダムアクセスメモリ( Ｓｙｎｃｈ Ｌｉｎｋ ＤＲＡＭ、ＳＬＤＲＡＭ )、及びダイレクトメモリバスランダムアクセスメモリ( Ｄｉｒｅｃｔ  Ｒａｍｂｕｓ  ＲＡＭ、ＤＲ ＲＡＭ )等であってもよいことが理解されるべきである。すなわち、本願の実施例におけるメモリは、これら及び任意の他の適切なタイプのメモリを含むことを意図しているが、これらに限定されない。
【０１８０】
図１０は、本願の実施例による通信システム１０００の概略ブロック図である。図１０に示されるように、通信システム１０００は、基地局１０１０と、第１のネットワークノード１０２０とを含む。
【０１８１】
ここで、該基地局１０１０は、端末デバイスのウェイクアップ能力を取得し、前記ウェイクアップ能力に基づいて、省電力信号を送信するための第１の時間位置を決定し、前記第１の時間位置において、前記端末デバイスに前記省電力信号を送信するように構成される。
【０１８２】
ここで、該第１のネットワークノード１０２０は、端末デバイスのウェイクアップ能力を決定し、前記ウェイクアップ能力は、基地局が省電力信号を送信するための第１の時間位置を決定するために用いられ、前記基地局に前記ウェイクアップ能力を指示するように構成される。
【０１８３】
ここで、前記省電力信号は、前記端末デバイスが第２の時間位置でウェイクアップ又はスリープするように指示し前記ウェイクアップ能力が第１のウェイクアップ能力又は第２のウェイクアップ能力を含み、第１のウェイクアップ能力を備える端末デバイスのウェイクアップ時間が第２のウェイクアップ能力を備える端末デバイスのウェイクアップ時間よりも大きい。
【０１８４】
ここで、該基地局１０１０は、上記方法３００において基地局により実現される相応の機能を実現するために使用されてもよく、及び該基地局１０１０の構成は、図６において基地局６００に示されてもよく、簡潔にするために、ここでは詳しい説明を省略する。
【０１８５】
第１のネットワークノード１０２０は、上述の方法５００において第１のネットワークノードによって実施されるそれぞれの機能を実施するために使用されてもよく、第１のネットワークノード１０２０の構成は、図７における第１のネットワークノード７００に示されてもよく、簡潔にするためにここでは詳しい説明を省略する。
【０１８６】
なお、本願の実施の形態において、「Ａに対応する(対応する) Ｂ」とは、ＢがＡに対応付けられていることを意味し、Ａに応じてＢが決定されてもよい。ＡからＢを決定することは、ＡのみからＢを決定することを意味するのではなく、Ａおよび/または他の情報からＢを決定することもできることをさらに理解されたい。
【０１８７】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０１８８】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１８９】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよく、別のシステムに統合されてもよく、又はいくつかの特徴が省略されてもよく、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１９０】
上記分離手段として説明したユニットは、物理的に分離していてもしていなくてもよく、ユニットとして表示する手段は、物理的なユニットであってもなくてもよく、１箇所にあってもよく、あるいは複数のネットワークユニットに分散していてもよい。また、本実施例の目的は、必要に応じて各部の一部又は全部を選択して実施することができる。
【０１９１】
また、本願の各実施例における各機能部は、１つの処理部に集積されてもよく、各部は、物理的に別個に存在してもよく、２つ以上の部が１つの部に集積されてもよい。
【０１９２】
また、ソフトウェア的な機能単位で実現され、独立した製品として販売又は使用される場合には、コンピュータ読み取り可能な記録媒体に格納されてもよい。このような理解に基づいて、本願の技術的解決策の本質または従来技術に寄与する部分、または本願の技術的解決策の部分は、１つのコンピュータデバイス(パーソナルコンピュータ、サーバ、またはネットワークデバイスなどであり得る)に本願の様々な実施例に記載された方法のステップの全てまたは一部を実行させるための複数の命令を含む１つの記憶媒体に記憶されたソフトウェア製品の形態で具現化され得る。なお、前記記憶媒体としては、Ｕ字ディスク、リムーバブルハードディスク、Ｒｅａｄ−Ｏｎｌｙ Ｍｅｍｏｒｙ、ＲＯＭ、ＲＡＭ、磁気ディスク、光ディスク等のプログラムコードを記憶できる種々の媒体を用いることができる。
【０１９３】
以上、本願の具体的な実施例を説明したが、本願の技術的範囲はこれに限定されるものではなく、本願が属する技術分野で通常の知識を有する者であれば、本願の技術的範囲内で容易に変更や置換をなし得ることは勿論である。したがって、本願の保護範囲は、特許請求の範囲によって定義されるべきである。
【図１】
2021528889.tif 000004
【図２】
2021528889.tif 000005
【図３】
2021528889.tif 000006
【図４（ａ）】
2021528889.tif 000007
【図４（ｂ）】
2021528889.tif 000008
【図５】
2021528889.tif 000009
【図６】
2021528889.tif 000010
【図７】
2021528889.tif 000011
【図８】
2021528889.tif 000012
【図９】
2021528889.tif 000013
【図１０】
2021528889.tif 000014
【手続補正書】
【提出日】令和3年4月14日(2021.4.14)
【手続補正１】
【補正対象書類名】特許請求の範囲
【補正対象項目名】全文
【補正方法】変更
【補正の内容】
【特許請求の範囲】
【請求項１】
基地局が端末デバイスのウェイクアップ能力を取得することと、
前記基地局が前記ウェイクアップ能力に基づいて、省電力信号を送信するための第１の時間位置を決定することと、
前記基地局が前記第１の時間位置で前記端末デバイスに前記省電力信号を送信することと、を含み、
前記省電力信号は、前記端末デバイスが第２の時間位置でウェイクアップ又はスリープするように指示し、前記ウェイクアップ能力が第１のウェイクアップ能力又は第２のウェイクアップ能力を含み、第１のウェイクアップ能力に対応するウェイクアップ時間が第２のウェイクアップ能力に対応するウェイクアップ時間よりも大きい
ことを特徴とする信号伝送方法。
【請求項２】
前記基地局が前記ウェイクアップ能力に基づいて、省電力信号を送信するための第１の時間位置を決定することは、
前記基地局が前記ウェイクアップ能力に基づいて、前記第１の時間位置と前記第２の時間位置との間のタイミング期間を決定することと、
前記基地局が前記タイミング期間及び前記第２の時間位置に基づいて、前記第１の時間位置を決定することとを含む
ことを特徴とする請求項１に記載の信号伝送方法。
【請求項３】
前記第１のウェイクアップ能力を備える前記端末デバイスの前記タイミング期間が前記第２のウェイクアップ能力を備える前記端末デバイスの前記タイミング期間よりも大きい
ことを特徴とする請求項２に記載の信号伝送方法。
【請求項４】
前記タイミング期間は、前記第１の時間位置の開始時刻又は終了時刻と前記第２の時間位置の開始時刻との間のタイミング期間である
ことを特徴とする請求項２又は３に記載の信号伝送方法。
【請求項５】
前記第２の時間位置は、非連続受信ＤＲＸ周期において前記端末デバイスが下り制御チャネル検出を行うための１番目のサブフレーム又はスロットである
ことを特徴とする請求項１〜４のいずれか１項に記載の信号伝送方法。
【請求項６】
前記第２の時間位置は、ページングメッセージを伝送するためのページング時刻ＰＯである
ことを特徴とする請求項１〜５のいずれか１項に記載の信号伝送方法。
【請求項７】
前記省電力信号が端末デバイスが前記第２の時間位置でウェイクアップするように指示する場合、前記方法は、さらに、
前記基地局が前記ＰＯにおいて、前記端末デバイスに前記ページングメッセージを送信することを含む
ことを特徴とする請求項６に記載の信号伝送方法。
【請求項８】
前記第１のウェイクアップ能力に対応するウェイクアップ時間は、第１のウェイクアップ能力を有する端末デバイスがウェイクアップするために必要なウェイクアップ時間であり、
前記第２のウェイクアップ能力に対応するウェイクアップ時間は、第２のウェイクアップ能力を有する端末デバイスがウェイクアップするために必要なウェイクアップ時間である
ことを特徴とする請求項１〜７のいずれか１項に記載の信号伝送方法。
【請求項９】
取得ユニットと、決定ユニットと、送受信ユニットと、を備える基地局であって、
前記取得ユニットは、端末デバイスのウェイクアップ能力を取得するように構成され、
前記決定ユニットは、前記取得ユニットにより取得された前記ウェイクアップ能力に基づいて、省電力信号を送信するための第１の時間位置を決定するように構成され、
前記送受信ユニットは、前記決定ユニットにより決定された前記第１の時間位置において、前記端末デバイスに前記省電力信号を送信するように構成され、
前記省電力信号は、前記端末デバイスが第２の時間位置でウェイクアップ又はスリープするように指示し、
前記ウェイクアップ能力が第１のウェイクアップ能力又は第２のウェイクアップ能力を含み、第１のウェイクアップ能力に対応するウェイクアップ時間が第２のウェイクアップ能力に対応するウェイクアップ時間よりも大きい
ことを特徴とする基地局。
【請求項１０】
前記決定ユニットは、
前記ウェイクアップ能力に基づいて、前記第１の時間位置と前記第２の時間位置との間のタイミング期間を決定し、
前記タイミング期間及び前記第２の時間位置に基づいて、前記第１の時間位置を決定するように構成され、
前記タイミング期間は、前記第１の時間位置の開始時刻又は終了時刻と前記第２の時間位置の開始時刻との間のタイミング期間である
ことを特徴とする請求項９に記載の基地局。
【請求項１１】
前記第１のウェイクアップ能力を備える前記端末デバイスの前記タイミング期間が前記第２のウェイクアップ能力を備える前記端末デバイスの前記タイミング期間よりも大きい
ことを特徴とする請求項１０に記載の基地局。
【請求項１２】
前記第２の時間位置は、非連続受信ＤＲＸ周期において前記端末デバイスが下り制御チャネル検出を行うための１番目のサブフレーム又はスロットである
ことを特徴とする請求項９〜１１のいずれか１項に記載の基地局。
【請求項１３】
前記第２の時間位置は、ページングメッセージを伝送するためのページング時刻ＰＯであり、
前記省電力信号が端末デバイスが前記第２の時間位置でウェイクアップするように指示する場合、前記送受信ユニットは、さらに、
前記ＰＯにおいて、前記端末デバイスに前記ページングメッセージを送信するように構成される
ことを特徴とする請求項９〜１２のいずれか１項に記載の基地局。
【請求項１４】
前記第１のウェイクアップ能力に対応するウェイクアップ時間は、第１のウェイクアップ能力を有する端末デバイスがウェイクアップするために必要なウェイクアップ時間であり、
前記第２のウェイクアップ能力に対応するウェイクアップ時間は、第２のウェイクアップ能力を有する端末デバイスがウェイクアップするために必要なウェイクアップ時間である
ことを特徴とする請求項９〜１３のいずれか１項に記載の基地局。
【請求項１５】
端末デバイスがこの端末デバイスのウェイクアップ能力を報告することと、
前記端末デバイスが第１の時間位置で前記基地局からの省電力信号を受信することと、を含み、
前記ウェイクアップ能力は、前記基地局が省電力信号を送信するための前記第１の時間位置を決定するために使用され、
前記省電力信号は、前記端末デバイスが第２の時間位置でウェイクアップ又はスリープするように指示し、
前記ウェイクアップ能力が第１のウェイクアップ能力又は第２のウェイクアップ能力を含み、第１のウェイクアップ能力に対応するウェイクアップ時間が第２のウェイクアップ能力に対応するウェイクアップ時間よりも大きい
ことを特徴とする信号伝送方法。
【請求項１６】
前記基地局は、前記ウェイクアップ能力に基づいて、前記第１の時間位置と前記第２の時間位置との間のタイミング期間を決定し、前記タイミング期間及び前記第２の時間位置に基づいて、前記第１の時間位置を決定し、
前記タイミング期間は、前記第１の時間位置の開始時刻又は終了時刻と前記第２の時間位置の開始時刻との間のタイミング期間である
ことを特徴とする請求項１５に記載の信号伝送方法。
【請求項１７】
前記第１のウェイクアップ能力を備える前記端末デバイスの前記タイミング期間が前記第２のウェイクアップ能力を備える前記端末デバイスの前記タイミング期間よりも大きい
ことを特徴とする請求項１６に記載の信号伝送方法。
【請求項１８】
前記第２の時間位置は、非連続受信ＤＲＸ周期において前記端末デバイスが下り制御チャネル検出を行うための１番目のサブフレーム又はスロットである
ことを特徴とする請求項１５〜１７のいずれか１項に記載の信号伝送方法。
【請求項１９】
前記第２の時間位置は、ページングメッセージを伝送するためのページング時刻ＰＯであり、
前記省電力信号が端末デバイスが前記第２の時間位置でウェイクアップするように指示する場合、前記方法は、さらに、
前記ＰＯにおいて、前記端末デバイスが基地局から前記ページングメッセージを受信することを含む
ことを特徴とする請求項１５〜１８のいずれか１項に記載の信号伝送方法。
【請求項２０】
前記第１のウェイクアップ能力に対応するウェイクアップ時間は、第１のウェイクアップ能力を有する端末デバイスがウェイクアップするために必要なウェイクアップ時間であり、
前記第２のウェイクアップ能力に対応するウェイクアップ時間は、第２のウェイクアップ能力を有する端末デバイスがウェイクアップするために必要なウェイクアップ時間である
ことを特徴とする請求項１５〜１９のいずれか１項に記載の信号伝送方法。
【国際調査報告】
2021528889.tif 000015
2021528889.tif 000016
2021528889.tif 000017
2021528889.tif 000018